(57)【要約】【課題】  架空電線を碍子に固定するときの作業性を向上させることができる電線支持具を提供する。【解決手段】  電線支持具１は、架空電線２を碍子３に固定するための支持具であり、断面楕円形状のバインド線４により形成されている。バインド線４は、亜鉛めっき鋼線等の金属線を被覆材で覆ってなるものである。電線支持具１は、バインド線４の長手方向の中央部に形成され、碍子３の首部３ａに巻き掛ける碍子係合部７と、バインド線４における碍子係合部７の両側にそれぞれ形成され、架空電線２を巻き付ける螺旋状の電線保持部８Ａ，８Ｂとを有している。電線保持部８Ａ，８Ｂの螺旋巻き方向は、互いに逆向きとなっている。また、電線保持部８Ａ，８Ｂの螺旋巻きピッチは、全体的に等ピッチとなっている。【選択図】  図２
2007157447.tif 000002
【特許請求の範囲】
【請求項１】
金属線を被覆材で覆ってなるバインド線で形成され、架空電線を碍子に固定するための電線支持具において、
前記碍子に対して巻き掛ける碍子係合部と、
前記碍子係合部の両側に螺旋状に形成され、前記架空電線を巻き付けて保持する１対の電線保持部とを有し、
前記１対の電線保持部の螺旋巻き方向が互いに逆向きとなっていることを特徴とする電線支持具。
【請求項２】
前記電線保持部の螺旋巻きピッチは、全体的に実質的に同等であることを特徴とする請求項１記載の電線支持具。
【請求項３】
前記バインド線は断面楕円形状をなしており、
前記電線保持部は、前記バインド線を密着巻き加工してから引き伸ばすことにより形成されたものであることを特徴とする請求項２記載の電線支持具。
【請求項４】
前記電線保持部における前記碍子係合部側の螺旋巻きピッチは、前記電線保持部における前記碍子係合部の反対側の螺旋巻きピッチよりも短いことを特徴とする請求項１記載の電線支持具。
【請求項５】
前記電線保持部における前記碍子係合部側の螺旋巻きピッチは、前記電線保持部における前記碍子係合部の反対側の螺旋巻きピッチよりも長いことを特徴とする請求項１記載の電線支持具。
【請求項６】
前記バインド線は断面円形状をなしていることを特徴とする請求項４または５記載の電線支持具。
【請求項７】
金属線を被覆材で覆ってなるバインド線で形成され、架空電線を碍子に固定するための電線支持具において、
前記碍子に対して巻き掛ける碍子係合部と、
前記碍子係合部の両側に螺旋状に形成され、前記架空電線を巻き付けて保持する１対の電線保持部とを有し、
前記電線保持部における前記碍子係合部側の螺旋巻きピッチは、前記電線保持部における前記碍子係合部の反対側の螺旋巻きピッチと異なっていることを特徴とする電線支持具。
【発明の詳細な説明】
【技術分野】
【０００１】
本発明は、電柱や鉄塔等に取り付けられた碍子に架空電線を固定するための電線支持具に関するものである。
【背景技術】
【０００２】
架空電線を碍子に固定するための従来の電線支持具としては、例えば特許文献１に記載されているように、被覆された金属線の長手方向の中央部に碍子係合用の半円弧部を形成し、この半円弧部の両端側に、架空電線の線径よりも小さい内径を有する電線巻付け用の螺旋部をそれぞれ形成してなる電線巻付けバインドが知られている。
【特許文献１】特開平７−３１２１３０号公報
【発明の開示】
【発明が解決しようとする課題】
【０００３】
上記のような電線支持具を用いて架空電線を碍子に固定する作業は、高所での作業となることが多いため、作業者にとっては出来る限り作業しやすいことが望まれている。しかし、上記従来技術においては、そのような高所での作業性については、あまり考慮していない。
【０００４】
本発明の目的は、架空電線を碍子に固定するときの作業性を向上させることができる電線支持具を提供することである。
【課題を解決するための手段】
【０００５】
本発明は、金属線を被覆材で覆ってなるバインド線で形成され、架空電線を碍子に固定するための電線支持具において、碍子に対して巻き掛ける碍子係合部と、碍子係合部の両側に螺旋状に形成され、架空電線を巻き付けて保持する１対の電線保持部とを有し、１対の電線保持部の螺旋巻き方向が互いに逆向きとなっていることを特徴とするものである。
【０００６】
このような電線支持具を用いて架空電線を碍子に固定するときは、まず碍子係合部を碍子に対して巻き掛けた状態とする。そして、架空電線を碍子に対して配置した状態で、１対の電線保持部の一方を碍子係合部側から順に架空電線に巻き付け、その後で１対の電線保持部の他方を碍子係合部側から順に架空電線に巻き付ける。
【０００７】
ここで、上記特許文献１に記載の電線支持具のように１対の電線保持部の螺旋巻き方向が同じである場合には、１対の電線保持部を架空電線に巻き付ける際に、架空電線は、一方の電線保持部の碍子係合部側端部の上側と他方の電線保持部の碍子係合部側端部の下側とを通ることになる。このため、一方の電線保持部を架空電線に巻き付けるときには、当該電線保持部を架空電線の上側からそのまま巻き付け始めれば良いが、他方の電線保持部を架空電線に巻き付けるときには、当該電線保持部を架空電線の下側にくぐらせた状態で巻き付けなければならない。従って、架空電線に対する電線保持部の巻き付け作業が行いにくくなる。これに加えて、１対の電線保持部が架空電線に巻き付けられた状態では、架空電線は碍子に対して斜めになった不安定な状態で碍子に支持されることになる。従って、架空電線が碍子に対して水平状態となるようにすべく、例えば作業者が架空電線を無理に曲げる必要が生じ、この点でも作業が困難なものとなる。
【０００８】
これに対し本発明の電線支持具では、１対の電線保持部の螺旋巻き方向が互いに逆向きとなっているので、碍子係合部を碍子に巻き掛けてから、１対の電線保持部を架空電線に巻き付ける際に、架空電線が１対の電線保持部の各碍子係合部側端部の上側を通るように構成することができる。この場合には、一方の電線保持部を架空電線に巻き付けるときには、当該電線保持部を架空電線の上側からそのまま巻き付け始め、他方の電線保持部を架空電線に巻き付けるときにも、当該電線保持部を架空電線の上側からそのまま巻き付け始めれば良いので、架空電線に対する電線保持部の巻き付け作業が行いやすくなる。また、そのように１対の電線保持部が架空電線に巻き付けられた状態では、架空電線は碍子に対してほぼ水平になり、碍子に対する架空電線の支持状態が安定するため、作業者が架空電線を無理に曲げる必要も無い。以上により、電線支持具を用いて架空電線を碍子に固定する際の作業性を向上させることができる。
【０００９】
好ましくは、電線保持部の螺旋巻きピッチは、全体的に実質的に同等である。この場合には、例えば既存の巻付バインド製造機を用いて、電線保持部を比較的簡単に作ることができる。また、電線保持部により架空電線を全体的にバランス良く保持することができる。なお、「実質的に等しい」とは、螺旋巻きピッチの僅かな違いについては、同等なものとするという趣旨である。
【００１０】
このとき、好ましくは、バインド線は断面楕円形状をなしており、電線保持部は、バインド線を密着巻き加工してから引き伸ばすことにより形成されたものである。
【００１１】
例えば電線保持部の螺旋巻きピッチが比較的長いと、その分だけ架空電線に対する電線保持部の巻き付け回数が少なくなる。このため、バインド線の断面形状を楕円にすることで、電線保持部による架空電線の保持力を確保する必要がある。ここで、そのような断面楕円形状のバインド線をピッチ巻きして電線保持部を形成すると、バインド線の捻れが生じてしまうが、断面楕円形状のバインド線を密着巻き加工してから引き伸ばすことにより、バインド線の捻れが起こりにくくなる。これにより、電線保持部を断面楕円形状のバインド線で構成することで架空電線の保持力を確保するという機能を、効果的に発揮させることができる。
【００１２】
電線保持部における碍子係合部側の螺旋巻きピッチは、電線保持部における碍子係合部の反対側の螺旋巻きピッチよりも短くても良い。
【００１３】
螺旋状の電線保持部を碍子係合部側から順に架空電線に巻き付ける際には、碍子係合部の反対側（電線支持具の端末側）に向かうほど、電線保持部において巻き付けるべき部分が短くなっていくため、電線支持具の端末部分では電線保持部の巻き付け作業が行いにくくなる。そこで、電線保持部における碍子係合部の反対側の螺旋巻きピッチを長くすることにより、電線支持具の端末部分では、架空電線に対する電線保持部の巻き付け回数が少なくなる。これにより、電線保持部の巻き付け作業が行いやすくなるため、架空電線を碍子に固定する際の作業性を更に向上させることができる。また、電線保持部における碍子係合部側の螺旋巻きピッチを短くすることにより、電線保持部の碍子係合部側の部分では、架空電線に対する電線保持部の巻き付け回数が多くなるため、電線保持部による架空電線の保持力が十分に確保されるようになる。
【００１４】
また、電線保持部における碍子係合部側の螺旋巻きピッチは、電線保持部における碍子係合部の反対側の螺旋巻きピッチよりも長くても良い。
【００１５】
例えば碍子の近傍に樹木等が存在している場合には、電線保持部の碍子係合部側の部分では、樹木等が邪魔になって電線保持部の巻き付け作業が行いにくくなる事がある。そこで、電線保持部における碍子係合部側の螺旋巻きピッチを長くすることにより、電線保持部の碍子係合部側の部分では、架空電線に対する電線保持部の巻き付け回数が少なくなる。これにより、碍子の近傍に樹木等があっても、電線保持部の巻き付け作業に及ぼす影響が軽減されるため、架空電線を碍子に固定する際の作業性を更に向上させることができる。また、電線保持部における碍子係合部の反対側の螺旋巻きピッチを短くすることにより、電線保持部における碍子係合部の反対側（電線支持具の端末側）部分では、架空電線に対する電線保持部の巻き付け回数が多くなるため、電線保持部による架空電線の保持力が十分に確保されるようになる。
【００１６】
このとき、好ましくは、バインド線は断面円形状をなしている。電線保持部における碍子係合部側と碍子係合部の反対側とで電線保持部の螺旋巻きピッチが異なる場合には、電線保持部の一部において螺旋巻きピッチが短くなるため、架空電線に対する電線保持部の巻き付け回数が多くなる。このため、バインド線の断面形状を円形としても、電線保持部による架空電線の保持力が十分に確保されるようになる。また、バインド線の断面形状を円形とすることにより、バインド線をピッチ巻きして電線保持部を形成しても、バインド線に捻れが生じることは殆ど無い。そのような断面円形状のバインド線は、断面楕円形状のバインド線に比べて簡単に形成可能であるため、コスト的に有利である。
【００１７】
また、本発明は、金属線を被覆材で覆ってなるバインド線で形成され、架空電線を碍子に固定するための電線支持具において、碍子に対して巻き掛ける碍子係合部と、碍子係合部の両側に螺旋状に形成され、架空電線を巻き付けて保持する１対の電線保持部とを有し、電線保持部における碍子係合部側の螺旋巻きピッチは、電線保持部における碍子係合部の反対側の螺旋巻きピッチと異なっていることを特徴とするものである。
【００１８】
このような電線支持具を用いて架空電線を碍子に固定するときは、まず碍子係合部を碍子に対して巻き掛けた状態とする。そして、架空電線を碍子に対して配置した状態で、１対の電線保持部の一方を碍子係合部側から順に架空電線に巻き付け、その後で１対の電線保持部の他方を碍子係合部側から順に架空電線に巻き付ける。
【００１９】
ここで、上記特許文献１に記載の電線支持具のように電線保持部の螺旋巻きピッチが等ピッチである場合には、架空電線に対する電線保持部の巻き付け作業が困難になることがある。例えば、螺旋状の電線保持部を碍子係合部側から順に架空電線に巻き付ける際には、碍子係合部の反対側（電線支持具の端末側）に向かうほど、電線保持部において巻き付けるべき部分が短くなっていくため、電線支持具の端末部分では電線保持部の巻き付け作業が行いにくくなる。また、例えば碍子の近傍に樹木等が存在している場合には、電線保持部の碍子係合部側の部分では、樹木等が邪魔になって電線保持部の巻き付け作業が行いにくくなる事もある。
【００２０】
これに対し本発明の電線支持具では、電線保持部における碍子係合部側の螺旋巻きピッチと電線保持部における碍子係合部の反対側の螺旋巻きピッチとを異ならせることにより、作業環境等に応じて最適な螺旋巻きピッチを有する電線支持具を適宜使用することができる。例えば、電線保持部における碍子係合部の反対側の螺旋巻きピッチを電線保持部における碍子係合部側の螺旋巻きピッチよりも長くすることにより、電線支持具の端末部分では、架空電線に対する電線保持部の巻き付け回数が少なくなるため、電線保持部の巻き付け作業が行いやすくなる。また、電線保持部における碍子係合部側の螺旋巻きピッチを電線保持部における碍子係合部の反対側の螺旋巻きピッチよりも長くすることにより、電線保持部の碍子係合部側の部分では、架空電線に対する電線保持部の巻き付け回数が少なくなるため、碍子の近傍に樹木等があっても、電線保持部の巻き付け作業に及ぼす影響が軽減される。従って、電線支持具を用いて架空電線を碍子に固定する際の作業性を向上させることができる。
【発明の効果】
【００２１】
本発明によれば、例えば電柱上の碍子に架空電線を固定する際の作業性を向上させることができる。これにより、高所作業における作業者の負担を軽減することが可能となる。
【発明を実施するための最良の形態】
【００２２】
以下、本発明に係る電線支持具の好適な実施形態について、図面を参照して詳細に説明する。
【００２３】
まず、本発明に係る電線支持具の第１実施形態を図１〜図８により説明する。図１は、本実施形態の電線支持具を示す斜視図であり、図２は、図１に示す電線支持具の使用状態を示す斜視図である。各図において、電線支持具１は、架空電線２を碍子３に固定するための支持具である。架空電線２は、樹脂製のシースを有している。碍子３は、架空電線２を絶縁し支持するために電柱や鉄塔等に取り付けられる絶縁物である。
【００２４】
電線支持具１は、１本のバインド線４により形成されている。バインド線４は、図３に示すように、亜鉛めっき鋼線等の金属線５を被覆材６で覆ってなるものである。被覆材６は、例えばポリエチレン等の樹脂からなっている。バインド線４は、断面楕円形状をなしている。金属線５の径は、例えば４ｍｍ程度である。被覆材６（バインド線４）において、長径側の外径は例えば８ｍｍ程度であり、短径側の外径は例えば６ｍｍ程度である。
【００２５】
電線支持具１は、バインド線４の長手方向の中央部に形成され、碍子３の首部３ａに巻き掛ける碍子係合部７と、バインド線４における碍子係合部７の両側にそれぞれ形成され、架空電線２を巻き付けて保持する螺旋状の電線保持部８Ａ，８Ｂとを有している。碍子係合部７は、碍子３の首部３ａに対応した径をもった半円弧状を有している。
【００２６】
電線保持部８Ａ，８Ｂは、架空電線２の線径よりも小さな内径を有している。これにより、電線保持部８Ａ，８Ｂを架空電線２に巻き付けたときに、架空電線２が電線保持部８Ａ，８Ｂによって確実に保持されるようになる。電線保持部８Ａ，８Ｂの螺旋巻き方向は、互いに逆向きとなっている。また、電線保持部８Ａ，８Ｂの螺旋巻きピッチＰは、全体的に等ピッチとなっている。
【００２７】
このような電線支持具１は、専用の巻付バインド製造装置（図示せず）を用いて、以下のようにして作製される。即ち、バインド線４の長手方向の中央部を曲げて、半円弧状を有する碍子係合部７を形成した後、図４（ａ）に示すように、バインド線４における碍子係合部７の両側に対してそれぞれ密着巻き加工を施して、密着巻き部９Ａ，９Ｂを形成する。そして、図４（ｂ）に示すように、密着巻き部９Ａ，９Ｂを外側（碍子係合部７の反対側）に引き伸ばすことにより、螺旋状の電線保持部８Ａ，８Ｂが碍子係合部７の両側にそれぞれ形成される。
【００２８】
このように密着巻き加工によって電線保持部８Ａ，８Ｂを形成することにより、ピッチ巻きを採用する場合に比べて、電線保持部８Ａ，８Ｂの加工が容易に行える。また、本実施形態のような断面楕円形状のバインド線４をピッチ巻きすると、バインド線４の被覆材６に捻れが発生してしまうが、密着巻き加工及び引き伸ばし加工を採用することで、そのような被覆材６の捻れを抑えることができる。さらに、電線保持部８Ａ，８Ｂの螺旋巻きピッチＰは全体的に等ピッチであるため、密着巻き加工及び引き伸ばし加工による電線保持部８Ａ，８Ｂの作製を比較的簡単に行うことができる。
【００２９】
このような電線支持具１を用いて架空電線２を碍子３に固定するときは、まず図５に示すように、碍子係合部７を碍子３の首部３ａに沿わせるように巻き掛ける。そして、碍子３の首部３ａにおいて碍子係合部７を巻き掛けた側とは反対側に架空電線２を配置した状態で、電線保持部８Ａ，８Ｂを架空電線２に手で巻き付ける。具体的には、図６に示すように、まず電線保持部８Ａを架空電線２に巻き付ける。このとき、碍子係合部７側（電線支持具１の中央側）から碍子係合部７の反対側（電線支持具１の端末側）に向けて電線保持部８Ａを順に架空電線２に巻き付けていく。次いで、電線保持部８Ｂを架空電線２に巻き付ける。このときも、電線支持具１の中央側から端末側に向けて電線保持部８Ｂを順に架空電線２に巻き付けていく。
【００３０】
これにより、図２に示すように、架空電線２が電線支持具１を介して碍子３に支持された状態となる。このとき、電線支持具１を構成するバインド線４は断面楕円形状を呈し、しかも密着巻き加工を用いて電線保持部８Ａ，８Ｂを形成することで、電線保持部８Ａ，８Ｂは捻れが発生しにくい構造となっている。このため、電線保持部８Ａ，８Ｂの大部分においてバインド線４の短径側の面が架空電線２に接触するように、電線保持部８Ａ，８Ｂを架空電線２に巻き付けることが可能となる（図３参照）。この場合には、バインド線４と架空電線２との接触面積が増大するため、電線保持部８Ａ，８Ｂによる架空電線２の保持力（掌握力）が高くなる。
【００３１】
ここで、比較例としての電線支持具を図７に示す。同図において、電線支持具５０は、上記の電線支持具１と同様にバインド線４で形成されている。電線支持具５０は、碍子係合部７と電線保持部８Ａ，８Ｂとを有し、電線保持部８Ａ，８Ｂの螺旋巻き方向は同じである。また、電線保持部８Ａ，８Ｂの螺旋巻きピッチは、全体的に等ピッチとなっている。
【００３２】
このような電線支持具５０を用いて、上記と同じように架空電線２を碍子３に固定する場合には、架空電線２は、図８に示すように、碍子係合部７と電線保持部８Ａとの境界部ではバインド線４の下を通り、碍子係合部７と電線保持部８Ｂとの境界部ではバインド線４の上を通ることになる。このため、電線保持部８Ｂを架空電線２に巻き付けるときには、電線保持部８Ｂを架空電線２の上側からそのまま巻き付け始めればよいが、電線保持部８Ａを架空電線２に巻き付けるときには、電線保持部８Ａを架空電線２の下側にくぐらせてから巻き付ける必要がある。このような架空電線２に対する電線保持部８Ａ，８Ｂの巻き付け作業は、電柱等の高所で行うので、電線保持部８Ａの巻き付けは非常にしずらいものとなる。
【００３３】
また、そのように電線保持部８Ａ，８Ｂの巻き始めの方法が異なることから、電線保持部８Ａ，８Ｂが架空電線２に巻き付けられた状態では、架空電線２は、図８に示すように、碍子３に対して水平ではなく斜めにならざるを得ない。このため、架空電線２と碍子３との支持状態が不安定になってしまう。
【００３４】
これに対し、本実施形態の電線支持具１においては、電線保持部８Ａ，８Ｂの螺旋巻き方向が逆となっているので、碍子係合部７を図２に示すように碍子３の首部３ａに巻き掛けた状態では、碍子係合部７と電線保持部８Ａとの境界部、碍子係合部７と電線保持部８Ｂとの境界部の何れにおいても、架空電線２がバインド線４の上を通ることになる。このため、電線保持部８Ａを架空電線２に巻き付けるときには、電線保持部８Ａを架空電線２の上側からそのまま巻き付け始め、その後で電線保持部８Ｂを架空電線２に巻き付けるときには、電線保持部８Ｂも架空電線２の上側からそのまま巻き付け始めれば良い。これにより、架空電線２に対する電線保持部８Ａ，８Ｂの巻き付け作業を容易に行うことができる。
【００３５】
また、そのように架空電線２に対する電線保持部８Ａ，８Ｂの巻き付け方が全く同じであるため、電線保持部８Ａ，８Ｂが架空電線２に巻き付けられた状態では、架空電線２は碍子３に対してほぼ水平になる。これにより、作業者が架空電線２を無理に曲げて矯正しなくても、架空電線２と碍子３との支持状態が安定化するようになる。
【００３６】
本発明に係る電線支持具の第２実施形態を図９〜図１１により説明する。図中、上記の第１実施形態と同一または同等の部材には同じ符号を付し、その説明を省略する。
【００３７】
図９は、本実施形態の電線支持具を示す斜視図である。同図において、電線支持具２０は、１本のバインド線２１により形成される支持具である。バインド線２１は、図１０に示すように、第１実施形態と同様に金属線５を被覆材６で覆ってなるものであり、断面円形状をなしている。被覆材６（バインド線２１）の径は、例えば６ｍｍ程度である。電線支持具２０は、第１実施形態における電線支持具１と同等の長さ（全長）を有している。
【００３８】
電線支持具２０は、バインド線２１の長手方向の中央部に形成され、碍子３の首部３ａ（図１１参照）に巻き掛ける碍子係合部２２と、バインド線２１における碍子係合部２２の両側にそれぞれ形成され、架空電線２（図１１参照）を巻き付けて保持する螺旋状の電線保持部２３Ａ，２３Ｂとを有している。碍子係合部２２は、碍子３の首部３ａに対応した径をもった半円弧状を有している。
【００３９】
電線保持部２３Ａ，２３Ｂは、架空電線２の線径よりも小さな内径を有している。電線保持部２３Ａ，２３Ｂの螺旋巻き方向は、第１実施形態と同様に互いに逆向きとなっている。また、電線保持部２３Ａ，２３Ｂにおける碍子係合部２２側（電線支持具２０の中央側）の螺旋巻きピッチは、電線保持部２３Ａ，２３Ｂにおける碍子係合部２２の反対側（電線支持具２０の端末側）の螺旋巻きピッチよりも短くなっている。
【００４０】
このような電線支持具２０により架空電線２を碍子３に固定するときは、第１の実施形態と同様の手法を用いて行う。即ち、図１１に示すように、碍子係合部２２を碍子３の首部３ａに巻き掛けた後、首部３ａに対して架空電線２を配置した状態で、電線保持部２３Ａを架空電線２に巻き付け、更に電線保持部２３Ｂを架空電線２に巻き付ける。
【００４１】
このとき、第１実施形態と同様に、電線支持具２０の中央側から端末側に向けて順に電線保持部２３Ａ，２３Ｂを架空電線２に巻き付けていく。しかし、電線保持部２３Ａ，２３Ｂにおける電線支持具２０の端末側の部分を巻き付けるときには、電線保持部２３Ａ，２３Ｂにおける電線支持具２０の中央側の部分を巻き付けるときに比べて、電線保持部２３Ａ，２３Ｂの巻き付けるべき長さが短くなるため、作業者にとっては大きな力が必要となる。このため、バインド線２１の寸法等によっては、電線支持具２０の端末側において電線保持部２３Ａ，２３Ｂを架空電線２に巻き付ける作業が困難なものとなってしまう。
【００４２】
本実施形態の電線支持具２０では、電線保持部２３Ａ，２３Ｂにおける電線支持具２０の端末側の螺旋巻きピッチが大きくなっているので、電線支持具２０の端末側において電線保持部２３Ａ，２３Ｂを架空電線２に巻き付ける回数が少なくて済む。これにより、架空電線２に対する電線保持部２３Ａ，２３Ｂの巻き付け作業を容易に行うことができる。
【００４３】
また、電線保持部２３Ａ，２３Ｂにおける電線支持具２０の端末側の螺旋巻きピッチを大きくした分だけ、電線保持部２３Ａ，２３Ｂにおける電線支持具２０の中央側の螺旋巻きピッチが小さくなっているので、電線支持具２０の中央側において電線保持部２３Ａ，２３Ｂを架空電線２に巻き付ける回数が多くなる。このため、断面円形状のバインド線２１を使用しても、電線保持部２３Ａ，２３Ｂによる架空電線２の保持力が十分に確保されるようになる。従って、電線支持具２０の中央側では、架空電線２に対する電線保持部２３Ａ，２３Ｂのフィット感が良好になる。
【００４４】
さらに、断面円形状のバインド線２１を使用することにより、電線支持具２０の加工時に、バインド線２１の被覆材６の捻れが殆ど起きなくなる。また、断面楕円形状のバインド線４に比べて安価に製作できるので、経済的である。
【００４５】
本発明に係る電線支持具の第３実施形態を図１２及び図１３により説明する。図中、上記の第１及び第２実施形態と同一または同等の部材には同じ符号を付し、その説明を省略する。
【００４６】
図１２は、本実施形態の電線支持具を示す斜視図である。同図において、電線支持具３０は、上記のバインド線２１により形成される支持具であり、上記の電線支持具１及び電線支持具２０と同等の全長を有している。電線支持具３０は、碍子係合部２２と、バインド線２１における碍子係合部２２の両側にそれぞれ形成され、架空電線２を巻き付けて保持する螺旋状の電線保持部３１Ａ，３１Ｂとを有している。
【００４７】
電線保持部３１Ａ，３１Ｂは、架空電線２の線径よりも小さな内径を有している。電線保持部３１Ａ，３１Ｂの螺旋巻き方向は、互いに逆向きとなっている。また、電線保持部３１Ａ，３１Ｂにおける碍子係合部２２の反対側（電線支持具３０の端末側）の螺旋巻きピッチは、電線保持部３１Ａ，３１Ｂにおける碍子係合部２２側（電線支持具３０の中央側）の螺旋巻きピッチよりも小さくなっている。
【００４８】
このような電線支持具３０により架空電線２を碍子３に固定するときは、第１の実施形態と同様の手法を用いて行う。即ち、図１３に示すように、碍子係合部２２を碍子３の首部３ａに巻き掛けた後、首部３ａに対して架空電線２を配置した状態で、電線保持部３１Ａを架空電線２に巻き付け、更に電線保持部３１Ｂを架空電線２に巻き付ける。
【００４９】
ここで、碍子３の近傍に、樹木等のような作業にとっての障害物が存在していると、電線支持具３０の中央側において電線保持部３１Ａ，３１Ｂを架空電線２に巻き付ける作業が行い難いものとなってしまう。
【００５０】
本実施形態の電線支持具３０では、電線保持部３１Ａ，３１Ｂにおける電線支持具３０の中央側の螺旋巻きピッチが大きくなっているので、電線支持具３０の中央側において電線保持部３１Ａ，３１Ｂを架空電線２に巻き付ける回数が少なくて済む。これにより、碍子３の近傍に障害物があっても、架空電線２に対する電線保持部３１Ａ，３１Ｂの巻き付けを確実に行うことができる。
【００５１】
また、電線保持部３１Ａ，３１Ｂにおける電線支持具３０の中央側の螺旋巻きピッチを大きくした分だけ、電線保持部３１Ａ，３１Ｂにおける電線支持具３０の端末側の螺旋巻きピッチが小さくなっているので、電線支持具３０の端末側において電線保持部３１Ａ，３１Ｂを巻き付ける回数が多くなる。このため、断面円形状のバインド線２１を使用しても、電線保持部３１Ａ，３１Ｂによる架空電線２の保持力が十分に確保されるようになる。従って、電線支持具３０の端末側では、架空電線２に対する電線保持部３１Ａ，３１Ｂのフィット感が良好になる。
【００５２】
なお、本発明は、上記実施形態に限定されるものではない。例えば、電線支持具の中央側における電線保持部の螺旋巻きピッチと電線支持具の端末側における電線保持部の螺旋巻きピッチとを異なるようにする形態としては、特に上記の第２及び第３実施形態のものには限られない。例えば電線支持具の全長が大きい場合には、電線支持具の中央側から端末側に向けて、螺旋巻きピッチの長い領域、螺旋巻きピッチの短い領域、螺旋巻きピッチの長い領域を順に形成しても良い。このような電線支持具を使用する場合には、上記の第２及び第３実施形態の利点を同時に得ることが可能となる。
【００５３】
また、そのように電線支持具の中央側における電線保持部の螺旋巻きピッチと電線支持具の端末側における電線保持部の螺旋巻きピッチとを異なる形態とした場合には、１対の電線保持部の螺旋巻き方向を同じ向きとしても良い。
【００５４】
さらに、上記の第２及び第３実施形態では、電線支持具を構成するバインド線として断面円形状のものを使用したが、第１実施形態のように断面楕円形状のバインド線を使用し、そのバインド線を密着巻き加工してから引き伸ばすことによって、電線支持具を形成しても良い。
【図面の簡単な説明】
【００５５】
【図１】本発明に係る電線支持具の第１実施形態を示す斜視図である。
【図２】図１に示す電線支持具により架空電線を碍子に固定した状態を示す斜視図である。
【図３】図１に示す電線支持具により架空電線を碍子に固定したときに、電線保持部が架空電線に接する状態を示す断面図である。
【図４】図１に示す電線支持具を加工する方法を示す概念図である。
【図５】図１に示す電線支持具により架空電線を碍子に固定する手順を示す斜視図である。
【図６】図１に示す電線支持具により架空電線を碍子に固定する手順を示す斜視図である。
【図７】比較例としての電線支持具を示す斜視図である。
【図８】図７に示す電線支持具により架空電線を碍子に固定した状態を示す斜視図である。
【図９】本発明に係る電線支持具の第２実施形態を示す斜視図である。
【図１０】図９に示す電線支持具により架空電線を碍子に固定したときに、電線保持部が架空電線に接する状態を示す断面図である。
【図１１】図９に示す電線支持具により架空電線を碍子に固定した状態を示す斜視図である。
【図１２】本発明に係る電線支持具の第３実施形態を示す斜視図である。
【図１３】図１２に示す電線支持具により架空電線を碍子に固定した状態を示す斜視図である。
【符号の説明】
【００５６】
１…電線支持具、２…架空電線、３…碍子、４…バインド線、５…金属線、６…被覆材、７…碍子係合部、８Ａ，８Ｂ…電線保持部、９Ａ，９Ｂ…密着巻き部、２０…電線支持具、２１…バインド線、２２…碍子係合部、２３Ａ，２３Ｂ…電線保持部、３０…電線支持具、３１Ａ，３１Ｂ…電線保持部。
【図１】
2007157447.tif 000003
【図２】
2007157447.tif 000004
【図３】
2007157447.tif 000005
【図４】
2007157447.tif 000006
【図５】
2007157447.tif 000007
【図６】
2007157447.tif 000008
【図７】
2007157447.tif 000009
【図８】
2007157447.tif 000010
【図９】
2007157447.tif 000011
【図１０】
2007157447.tif 000012
【図１１】
2007157447.tif 000013
【図１２】
2007157447.tif 000014
【図１３】
2007157447.tif 000015